(57)【要約】 【課題】  相手の端子金具を円滑に挿通させる。【解決手段】  雌ハウジング２１には、雌端子金具２２を挿入可能なキャビティ２４が設けられるとともに、前面側からフロントリテーナ２３が装着可能とされる。キャビティ２４の前壁２５，４０には、前方から相手の雄端子金具１２を挿通可能な挿通口２９，４１が設けられている。下段側のキャビティ２４の前壁２５，４０における上半分は、挿通口２９，４１と共にフロントリテーナ２３側の前半部分４０ａと、雌ハウジング２１側の後半部分２５ａとに前後に分けられている。このうちフロントリテーナ２３側の前半部分４０ａにおける挿通口４１の前縁には、雄端子金具１２の挿通動作を案内可能な案内面４２が設けられている。雌ハウジング２１側の後半部分２５ａにおける挿通口２９の前縁には、雄端子金具１２の挿通動作を案内可能な補助案内面３１が設けられている。【選択図】  図１５
2005327617.tif 000002
【特許請求の範囲】
【請求項１】
コネクタハウジングには、端子金具を挿入可能なキャビティが設けられるとともに、取付部材が前面側に装着可能とされており、
前記キャビティの前壁には、前方から相手の端子金具を挿通可能な挿通口が設けられており、この前壁は、前記挿通口と共に少なくとも一部が前記取付部材側と前記コネクタハウジング側とに前後に分けて設けられ、このうち取付部材側の前壁における挿通口の前縁には、前記相手の端子金具の挿通動作を案内可能な案内面が設けられているものであって、
前記コネクタハウジング側の前壁における挿通口の前縁には、前記相手の端子金具の挿通動作を案内可能な補助案内面が設けられていることを特徴とするコネクタ。
【発明の詳細な説明】
【技術分野】
【０００１】
本発明は、コネクタに関する。
【背景技術】
【０００２】
従来、ハウジングの前面側に取付部材としてフロントリテーナが装着されたものの一例が、下記特許文献１に記載されている。このものは、図１８に示すように、ハウジング１に後方から端子金具２を挿入可能なキャビティ３が設けられ、そのキャビティ３内には、端子金具２を抜け止めするためのランス３ａが設けられるとともに、フロントリテーナ４には、ランス３ａの撓み空間内に進入することで端子金具２に係止したランス３ａの撓み変形を規制可能な撓み規制部４ａが設けられている。一方、キャビティ３の前壁５，６には、前方から相手の端子金具７がキャビティ３内に進入するのを許容するよう挿通口８，９が開口して設けられており、この前壁５，６は、挿通口８，９共々フロントリテーナ４側とハウジング１側とに前後に分けられている。このうちフロントリテーナ４側の前壁５における挿通口８の前縁には、相手の端子金具７の挿通動作を案内可能な案内面８ａが周設されている。
【特許文献１】実用新案登録第２５４２６３９号公報
【発明の開示】
【発明が解決しようとする課題】
【０００３】
ところで、上記したハウジング１とフロントリテーナ４は、共に合成樹脂製とされているため、樹脂成形時に製品によって寸法誤差が生じ得る。このため、フロントリテーナ４側の挿通口８と、ハウジング１側の挿通口９とが径方向について互いに整合しないことがあり、そうなると相手の端子金具７がフロントリテーナ４側の挿通口８からハウジング１側の挿通口９へと進入する際に、ハウジング１側の挿通口９の周縁部に引っ掛かるおそれがあった。
本発明は上記のような事情に基づいて完成されたものであって、相手の端子金具を円滑に挿通させることを目的とする。
【課題を解決するための手段】
【０００４】
上記の目的を達成するための手段として、請求項１の発明は、コネクタハウジングには、端子金具を挿入可能なキャビティが設けられるとともに、取付部材が前面側に装着可能とされており、前記キャビティの前壁には、前方から相手の端子金具を挿通可能な挿通口が設けられており、この前壁は、前記挿通口と共に少なくとも一部が前記取付部材側と前記コネクタハウジング側とに前後に分けて設けられ、このうち取付部材側の前壁における挿通口の前縁には、前記相手の端子金具の挿通動作を案内可能な案内面が設けられているものであって、前記コネクタハウジング側の前壁における挿通口の前縁には、前記相手の端子金具の挿通動作を案内可能な補助案内面が設けられている構成としたところに特徴を有する。
【発明の効果】
【０００５】
＜請求項１の発明＞
端子金具に相手の端子金具を接続するには、相手の端子金具を挿通口に挿通してキャビティ内に進入させるようにする。この過程では、相手の端子金具は、取付部材側の前壁における挿通口に設けた案内面によって案内されつつ挿通口内に挿通される。そして、相手の端子金具が取付部材側の挿通口からコネクタハウジング側の挿通口へと進入する際には、補助案内面によって案内されるようになっているから、相手の端子金具がコネクタハウジング側の挿通口の周縁部に引っ掛かることがなく、円滑に挿通させることができる。
【発明を実施するための最良の形態】
【０００６】
＜実施形態＞
本発明の一実施形態を図１ないし図１７によって説明する。本実施形態では、相手の雄コネクタ１０が嵌合可能とされる雌コネクタ２０を示す。雌コネクタ２０は、雌ハウジング２１と、雌ハウジング２１内に収容される複数本（６本）の雌端子金具２２と、雌ハウジング２１の前面側に装着されるフロントリテーナ２３とから構成されている。なお、以下では両コネクタ１０，２０における嵌合面側を前方とし、また上下方向については図１や図１０を基準とする。
【０００７】
先に相手の雄コネクタについて説明する。雄コネクタ１０は、箱型のケースＣの壁面に設けられた開口ＣＨに貫通した状態で保持されるとともにケースＣ内に収容された基板Ｋに対して取り付けられている。雄コネクタ１０は、図１及び図１０に示すように、合成樹脂製の雄ハウジング１１と、雄ハウジング１１に装着される複数本（６本）の雄端子金具１２とから構成されている。雄ハウジング１１は、雄端子金具１２を保持する端子保持部１３と、端子保持部１３から前方へ突出するフード部１４とから構成されている。端子保持部１３には、後方から雄端子金具１２を挿入可能な端子挿入孔１３ａが上下２段、幅方向に３つずつ並んで設けられている。雄端子金具１２は、金属製の板材を側方から見て略Ｌ字型に屈曲させた形状とされており、水平部分におけるフード部１４内に突出する端部が相手の雌端子金具２２と導通接続可能なコネクタ接続部１２ａとされるのに対し、垂直部分における端部が基板Ｋの孔部に挿入されて図示しない導電路に対して半田により電気的に接続される基板接続部１２ｂとされている。フード部１４は、前方へ開口する略角筒状に形成されており、その内部には前方から雌コネクタ２０が嵌合可能とされている。フード部１４のうち上側部分は、他の部分よりも幅狭に形成されるとともに、このうち上壁１５は、その内面の両側端位置に雌コネクタ２０の両保護壁４９を受け入れ可能な受け入れ溝部１５ａが一対形成されている都合上、両受け入れ溝部１５ａに対応する両側端部よりもその間の部分の方が低く形成されている。またフード部１４の上壁１５は、他の周壁よりも前端位置が後側に引っ込んだ設定とされる。フード部１４の下壁における両側端位置には、雌コネクタ２０のガイドリブ５０を受け入れ可能なガイド溝部１４ａが一対形成されている。
【０００８】
雄ハウジング１１のフード部１４における上壁１５には、図１及び図１０に示すように、雌ハウジングのロックアーム４５が係止可能なロック爪部１６が設けられている。ロック爪部１６は、フード部１４の上壁１５の前端位置で且つ幅方向略中央位置に配されており、上壁１５の内面から内方へ突出して形成されている。ロック爪部１６のうち前面は、前方へ向かって上り勾配をなすようテーパ状に形成されるのに対し、係止部４７との係止面である後面は、前方へ向かって上り勾配をなす逆テーパ状（オーバーハング状）に形成されている。このロック爪部１６の後側には、ロックアーム４５の係止部４７が進入可能なロック進入空間１７が確保されており、このロック進入空間１７は、フード部１４の上壁１５を上方、つまり前後方向と略直交（交差）する方向に沿って外部に開口する孔状に形成されている。このロック進入空間１７は、雄ハウジング１１を樹脂成形する際に上方へ型抜きされる金型によって成形されている。このようにロック進入空間１７は、フード部１４を上方に開口しており、端子保持部１３を前後に貫通して形成されていないので、ケースＣ内に外部の水などが浸入するのを防ぐことができるとともに、外観上も良好となる。またロック進入空間１７は、図２に示すように、上方から見て概ね四角形に形成されている。
【０００９】
そして、フード部１４の上壁１５のうちロック進入空間１７の後側には、図１０及び図１２に示すように、補強リブ１８が設けられている。補強リブ１８は、フード部１４の上壁１５の内面から内方へ突出するとともに、前方のロック爪部１６と対向するように形成されている。さらに補強リブ１８は、前後方向に沿って延出するとともにその後端が端子保持部１３の前面（雌コネクタ２０との嵌合面）に連結されている。また補強リブ１８の幅寸法、及び内方への突出寸法は、ロック爪部１６とほぼ同じとされている。この補強リブ１８は、その両側面形状が雄ハウジング１１を樹脂成形する際に前方へ型抜きされる金型により成形され、前面形状が上方へ型抜きされる金型、つまりロック進入空間１７を成形する金型により成形されている。
【００１０】
この補強リブ１８の前面１８ａ（ロック爪部１６との対向面）における両側端の角部分には、図２及び図１２に示すように、それぞれ面取りされることでテーパ状をなす案内面１９が形成されている。この案内面１９は、嵌合時にロックアーム４５の両アーム部４６における内縁部が摺接可能とされ、これにより雌コネクタ２０の嵌合動作を案内可能とされている。ロック進入空間１７は、後端側に行くに連れて次第に幅寸法が広くなるよう形成されており、両側面１７ａが上記案内面１９よりも緩やかなテーパ状に形成されている。ロック進入空間１７の側面１７ａと、対向する案内面１９との間の距離は、仮に側面１７ａが前後方向に沿って真っ直ぐだった場合と比較すると、広くなっている。従って、樹脂成形時に上方に型抜きされる金型のうち、これらロック進入空間１７の側面１７ａと案内面１９との間に進入する部分について、必要な強度が得られる十分な太さを確保することができる。
【００１１】
次に、雌コネクタ２０について説明する。雌コネクタ２０のうち雌ハウジング２１は、合成樹脂製とされており、全体が略ブロック状に形成されるとともに、後方から雌端子金具２２を挿入可能なキャビティ２４が上下２段、幅方向に３室ずつ並んで設けられている。各キャビティ２４の前端には、前壁２５が設けられている。各キャビティ２４の下面側には、雌端子金具２２に対して係止可能なランス２６が設けられている。ランス２６は、片持ち状に形成されるとともに上下方向（雌端子金具２２の挿抜方向と交差する方向）に沿って撓み変形可能とされ、撓み変形時には下方の撓み空間２７内に退避するようになっている。また雌端子金具２２は、略箱型をなす本体部２２ａと、電線Ｗの端末に接続されるバレル部２２ｂとを備えており、このうち本体部２２ａの下壁には、ランス２６が進入可能な係止孔（図示せず）が開口して設けられ、その孔縁にランス２６が係止可能とされる。また本体部２２ａ内には、相手の雄端子金具１２に対して弾性接触可能な弾性接触片（図示せず）が設けられている。
【００１２】
雌ハウジング２１の上面における幅方向略中央には、図３、図４及び図７に示すように、雄ハウジング１１と嵌合したときに両ハウジング１１，２１を嵌合状態に保持するためのロックアーム４５が設けられている。ロックアーム４５は、片持ち状をなす一対のアーム部４６と、両アーム部４６の途中部分を連結する係止部４７と、両アーム部４６の後端部を連結する操作部４８とから構成されている。両アーム部４６は、幅方向について互いに所定の間隔（ロック爪部１６及び補強リブ１８の幅寸法程度）を空けてほぼ平行に形成されており、雌ハウジング２１の前端位置に基端部を有するとともにこの基端部を支点として上下方向（嵌合・離脱方向である前後方向と交差する方向）に沿って弾性変形可能とされている。係止部４７には、雌コネクタ２０のロック爪部１６が係止可能とされており、その係止面である後面は、上下方向に沿ってほぼ真っ直ぐに形成されている。また係止部４７の前面は、後方へ向かって上り勾配をなし、ロック爪部１６の前面に沿うようなテーパ状に形成されている。また操作部４８は、上方から押圧操作が可能とされ、これによりロックアーム４５を強制的に弾性変形させることが可能とされる。雌ハウジング２１の上面におけるロックアーム４５の両側方位置には、一対の保護壁４９が突設されている。両保護壁４９は、ロックアーム４５よりも高く形成されている。なお雌ハウジング２１の下面における両側端位置には、前後方向に沿って延出する一対のガイドリブ５０が突設されている。また雌ハウジング２１の下面における後端位置には、幅方向に沿って延出するとともに両ガイドリブ５０に連結される指掛け部５１が突設されている。
【００１３】
雌ハウジング２１の前面及び両側面は、前方からフロントリテーナ２３を装着できるよう所定形状に切欠されている。詳しくは、雌ハウジング２１の前面には、各キャビティ２４の前壁２５の一部を残しつつ各キャビティ２４及び各撓み空間２７に連通する形態の切欠部２８が形成されている。この切欠部２８により、上段側の各キャビティ２４の前壁２５は、下半分が除去されて上半分が残され、下段側の各キャビティ２４の前壁２５は、下半分と、上半分のうちの前半部分とが除去されて上半分のうちの後半部分２５ａが残されており、除去された部分がフロントリテーナ２３側に設けられている。残された前壁２５には、雄端子金具１２を挿通可能な挿通口２９がそれぞれ前後に貫通して設けられている。このうち上段側の挿通口２９の前縁には、雄端子金具１２の挿通動作を案内可能とされる略擂鉢状をなす案内面３０が周設されている。また切欠部２８には、上下のキャビティ２４間に位置するとともにフロントリテーナ２３のガイド板３９を挿入可能なガイド凹部３２が含まれている。一方、雌ハウジング２１の両側面には、図３及び図５に示すように、所定の高さ範囲にわたって凹部３３がそれぞれ形成されており、この凹部３３には、フロントリテーナ２３を所定位置に保持するための仮係止位置用保持突部３４と本係止位置用保持突部３５とが前後・上下にずれた位置に設けられている。
【００１４】
フロントリテーナ２３は、合成樹脂製とされており、図６及び図７に示すように、前板３６と、前板３６の両側端から後方へ延出する縦長な一対の側板３７と、前板３６の後面から後方へ突出する横長な一対の撓み規制部３８と、前板３６の後面のうち両撓み規制部３８の間の位置から後方へ延出する横長なガイド板３９とから構成されている。前板３６は、雌ハウジング２１の切欠部２８に対して嵌合可能とされており、雌ハウジング２１側の前壁２５に整合可能な各キャビティ２４の前壁４０を有している。詳しくは、前壁４０は、雌ハウジング２１における上段側の各キャビティ２４の前壁２５の下半分と、下段側の各キャビティ２４の前壁２５の下半分、及び上半分のうちの前半部分４０ａとからなる。また前壁４０には、雌ハウジング２１側の挿通口２９に整合可能とされる位置にそれぞれ挿通口４１が前方へ開口して設けられている。各挿通口４１の前縁には、雄端子金具１２の挿通動作を案内可能な略擂鉢状の案内面４２が周設されている。上段側の案内面４２は、雌ハウジング２１側の対応する案内面３０と整合可能とされる。また各挿通口４１の周縁のうち下部には、ランス２６を解除操作するための治具（図示せず）を前方から挿入可能とされる治具挿入口４３が挿通口４１に連通して形成されている。
【００１５】
側板３７は、雌ハウジング２１の両側面に設けた凹部３３に差し込まれるようになっており、その内面（雌ハウジング２１との対向面）には、前方へ開口するとともに仮係止位置用保持突部３４及び本係止位置用保持突部３５が進入可能な係止溝部４４が設けられている。この係止溝部４４の後縁部が、雌ハウジング２１の仮係止位置用保持突部３４と本係止位置用保持突部３５とのいずれかに係止されることで、フロントリテーナ２３を次述する仮係止位置（図８）と本係止位置（図１１）との前後２位置に選択的に保持可能とされる。また側板３７は、凹部３３に差し込まれた状態では、その外面が雌ハウジング２１の外側面と略面一状をなす。
【００１６】
両撓み規制部３８は、雌ハウジング２１における上下段の各撓み空間２７に対応した位置に配されている。また撓み規制部３８の両側端部は、両側板３７の内面に連結されて補強が図られている。そして、撓み規制部３８は、フロントリテーナ２３が雌ハウジング２１に対して仮係止位置に装着された状態では、図７及び図９に示すように、撓み空間２７の前方に退避していてランス２６の撓み変形、すなわち雌端子金具２２のキャビティ２４への挿抜動作を許容するのに対し、フロントリテーナ２３が本係止位置に装着された状態では、図１０に示すように、撓み空間２７内に進入してランス２６の撓み変形を規制できるようになっている。この本係止位置では、フロントリテーナ２３側の前壁２５が雌ハウジング２１側の前壁４０に合致する。本係止位置では、フロントリテーナ２３の前端面と雌ハウジング２１の前端面とが略面一状をなし、ここが雄コネクタ１０との嵌合面とされる。なおガイド板３９は、雌ハウジング２１のガイド凹部３２に対して差し込まれることで、フロントリテーナ２３の前後の移動をガイドできるようになっている。
【００１７】
さて、雌コネクタ２０における下段側のキャビティ２４に対応する前壁２５，４０のうち上半分（周方向についての一部）については、既述した通り挿通口２９，４１と共にフロントリテーナ２３側の前半部分４０ａと雌ハウジング２１側の後半部分２５ａとに前後に分けられており、フロントリテーナ２３が本係止位置に（正規に）装着されたときには、図１０に示すように、両部分２５ａ，４０ａがほぼ隙間無く前後に並ぶとともに両挿通口２９，４１が整合・連通するようになっている。そして、雌ハウジング２１側の後半部分２５ａにおける挿通口２９の前縁には、略擂鉢状をなす補助案内面３１が周設されている。この補助案内面３１は、フロントリテーナ２３側の前半部分４０ａにおける挿通口４１を通過した雄端子金具１２が雌ハウジング２１側の後半部分２５ａにおける挿通口２９内に進入する際に、その先端部が摺接されるようになっており、これにより雄端子金具１２の挿通動作を案内可能とされている。そして、この補助案内面３１は、共に樹脂成形される雌ハウジング２１とフロントリテーナ２３との間で生じる寸法誤差が公差範囲の最大値だった場合（図１０及び図１５の想像線を参照）でも、補助案内面３１の前端がフロントリテーナ２３側の案内面４２の後端と径方向についてほぼ同じ位置に配され、雄端子金具１２に対する案内機能を発揮できるような範囲に形成されている。
【００１８】
本実施形態は以上のような構造であり、続いてその作用を説明する。雌コネクタ２０の組み付けにあたっては、図７及び図８に示すように、雌ハウジング２１に対してフロントリテーナ２３を仮係止位置に装着してから、各雌端子金具２２を各キャビティ２４内に後方から挿入する。挿入途中では、雌端子金具２２によってランス２６が押圧されて撓み空間２７内に退避しつつ撓み変形される。雌端子金具２２が正規深さに達すると、図９に示すように、ランス２６が復元して係止孔内に進入するとともにその孔縁に係止することで雌端子金具２２が抜け止め保持される。このとき、雌ハウジング２１の前壁２５（後半部分２５ａを含む）に対して雌端子金具２２の前端が当接することで、各雌端子金具２２の前止まりが図られる。その後、図１０及び図１１に示すように、フロントリテーナ２３を本係止位置へ押し込むと、撓み規制部３８が撓み空間２７内に進入するとともにランス２６の撓み変形が規制されることで、雌端子金具２２の保持力が増強される。フロントリテーナ２３が本係止位置に達すると、フロントリテーナ２３の前板３６が雌ハウジング２１の切欠部２８に対して嵌合するとともに、フロントリテーナ２３側の前壁４０及び挿通口４１が雌ハウジング２１側の前壁２５及び挿通口２９と整合する。
【００１９】
別途に組み付けた雄コネクタ１０を、図１０に示すように、基板Ｋ及びケースＣに取り付けた後、ケースＣ外から雌コネクタ２０を嵌合する作業を行う。雌ハウジング２１をフード部１４内に嵌合すると、両ガイドリブ５０が両ガイド溝部１４ａ内に、両保護壁４９が両受け入れ溝部１５ａ内に進入して嵌合動作が案内される。嵌合過程では、両アーム部４６間にロック爪部１６が進入した後、図１３及び図１４に示すように、補強リブ１８が進入することになるが、このとき前面１８ａの両側端部に形成された両案内面１９が両アーム部４６の内縁部に摺接することで、雌ハウジング２１が補強リブ１８に対して引っ掛かることなく円滑に嵌合が進行する。さらに嵌合が進むと、係止部４７の前面がロック爪部１６の前面に摺接して下方へ押圧されるとともに、ロックアーム４５が一旦下方へ弾性変形されることになる。
【００２０】
所定深さまで嵌合が進むと、図１５に示すように、雄端子金具１２が挿通口２９，４１内に挿通される。挿通動作の初期段階では、案内面３０，４２に対して雄端子金具１２の先端部が摺接可能とされているので、例えば雌ハウジング２１が嵌合面を多少傾けた姿勢で嵌合されようとして雄端子金具１２が挿通口２９，４１に対して芯ずれしていても、雄端子金具１２が円滑に挿通口２９，４１内に挿通されるようになっている。ここで、特に下段側の前壁２５，４０における上半分については、フロントリテーナ２３側の前半部分４０ａと雌ハウジング２１側の後半部分２５ａとに前後に分けられているため、雄端子金具１２がフロントリテーナ２３側の挿通口４１を通過した後、雌ハウジング２１側の挿通口２９へと進入する際に、雄端子金具１２が雌ハウジング２１側の挿通口２９の周縁部に引っ掛かることが懸念される。ところが、本実施形態では、雌ハウジング２１側の後半部分２５ａの挿通口２９の前縁に補助案内面３１を設けるようにしたので、この補助案内面３１に対して雄端子金具１２の先端部が摺接されることで、雄端子金具１２が引っ掛かることなく円滑に挿通口２９に挿通されるようになっている。
【００２１】
そして、両ハウジング１１，２１が正規深さまで嵌合されると、図１６及び図１７に示すように、ロックアーム４５が復元して係止部４７がロック進入空間１７内に進入するとともにその後面がロック爪部１６の後面に対して係止することで、両ハウジング１１，２１が嵌合状態から離脱不能に保持される。正規深さに達すると、両コネクタ１０，２０の嵌合面同士が当接可能とされる。このとき、雄雌両端子金具１２，２２は、正規に導通接続される。また補強リブ１８は、全長にわたって両アーム部４６間に進入するとともに、その前面１８ａが係止部４７の前面と対向して配される。またこの正規嵌合状態では、指掛け部５１とフード部１４の前端面との間には、離脱作業時に作業者が指掛け部５１に指を掛け易いように所定の隙間が空けられている。
【００２２】
以上説明したように本実施形態によれば、下段側のキャビティ２４の前壁２５，４０における上半分（周方向の一部）について、挿通口２９，４１と共にフロントリテーナ２３側の前半部分４０ａと、雌ハウジング２１側の後半部分２５ａとに分けて両者２５ａ，４０ａが前後に並ぶものにおいて、雌ハウジング２１側の後半部分２５ａの挿通口２９の前縁に補助案内面３１を設けるようにしたから、雄端子金具１２がフロントリテーナ２３側の挿通口４１から雌ハウジング２１側の挿通口２９へと進入する際にも、雄端子金具１２が挿通口２９の周縁部に引っ掛かることがなく、雄端子金具１２を円滑に挿通させることができる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、下段側のキャビティの前壁がフロントリテーナ側と雌ハウジング側とに分かれるものを例示したが、上段側のキャビティの前壁についても下段側と同様の構造としてもよい。
【００２４】
（２）上記した実施形態では、前壁における上半分のみを前後に分けるようにしたものを例示したが、要は前壁における少なくとも一部を前後に分けるようにすればよいから、例えば下半分のみを前後に分けたものや、周方向の全域を前後に分けるようにしたものも本発明に含まれる。
（３）上記した実施形態では、特許請求の範囲に記載した取付部材として撓み規制部を有するフロントリテーナを例示したが、撓み規制部を有さない取付部材にも本発明は適用可能である。
【００２５】
（４）上記した実施形態では、相手の雄コネクタが基板及びケースに取り付けられるものを示したが、基板やケースに取り付けられない雄コネクタと嵌合するものにも本発明に含まれる。
（５）キャビティの数や配置については任意に変更可能である。
【図面の簡単な説明】
【００２６】
【図１】本発明の一実施形態に係る雄ハウジングの正面図
【図２】雄ハウジングの平面図
【図３】雌ハウジングの正面図
【図４】雌ハウジングの平面図
【図５】雌ハウジングの側面図
【図６】フロントリテーナの正面図
【図７】フロントリテーナを仮係止位置に装着した雌ハウジングに雌端子金具を挿入する前の状態を示す側断面図
【図８】フロントリテーナを仮係止位置に装着した雌ハウジングの側面図
【図９】フロントリテーナを仮係止位置に装着した雌ハウジングに雌端子金具を挿入した状態を示す側断面図
【図１０】フロントリテーナを本係止位置とした雌ハウジングに雄ハウジングを嵌合する前の状態を示す側断面図
【図１１】フロントリテーナを本係止位置とした雌ハウジングの側面図
【図１２】両ハウジングを嵌合する前の状態を示す平断面図
【図１３】両ハウジングを嵌合する途中の状態を示す平断面図
【図１４】嵌合途中における補強リブとロックアームとの関係を示す部分正断面図
【図１５】両ハウジングを嵌合する途中の状態を示す側断面図
【図１６】両ハウジングを正規深さまで嵌合した状態を示す側断面図
【図１７】両ハウジングを正規深さまで嵌合した状態を示す平断面図
【図１８】従来例の断面図
【符号の説明】
【００２７】
２０…雌コネクタ（コネクタ）
２１…雌ハウジング（コネクタハウジング）
２２…雌端子金具（端子金具）
２３…フロントリテーナ（取付部材）
２４…キャビティ
２５…前壁
２５ａ…後半部分（コネクタハウジング側の前壁）
２９…挿通口
３１…補助案内面
４０…前壁
４０ａ…前半部分（取付部材側の前壁）
４１…挿通口
４２…案内面
【図１】
2005327617.tif 000003
【図２】
2005327617.tif 000004
【図３】
2005327617.tif 000005
【図４】
2005327617.tif 000006
【図５】
2005327617.tif 000007
【図６】
2005327617.tif 000008
【図７】
2005327617.tif 000009
【図８】
2005327617.tif 000010
【図９】
2005327617.tif 000011
【図１０】
2005327617.tif 000012
【図１１】
2005327617.tif 000013
【図１２】
2005327617.tif 000014
【図１３】
2005327617.tif 000015
【図１４】
2005327617.tif 000016
【図１５】
2005327617.tif 000017
【図１６】
2005327617.tif 000018
【図１７】
2005327617.tif 000019
【図１８】
2005327617.tif 000020